(57)【特許請求の範囲】
【請求項１】
２つの部分からなる滑動レール（３）用の第１の滑動レール半部（１）であって、
前記滑動レール（３）は、巻き掛け伝動装置（５）の巻き掛け手段（４）用に振動および波打ちを軽減するように構成されており、
前記第１の滑動レール半部（１）は、少なくとも以下の構成要素、すなわち、
第１のバヨネットフック（６，７）と、
第１のバヨネット受け（１０，１１）と、
滑動平面（２２）内の第１の滑動面（１４，１５）と、
第１の接合面（１８，１９）と、
前記滑動平面（２２）に対して垂直な高さ方向軸線（２３）と、
前記滑動平面（２２）内で前記第１の接合面（１８，１９）に対して平行に延びる長手方向軸線（２４）と、
を備え、
前記第１の接合面（１８，１９）は、同じ構造の第２の滑動レール半部（２）の第２の接合面（２０，２１）の当接用に構成されており、前記同じ構造の第２の滑動レール半部（２）は、接合のために、前記第１の滑動レール半部（１）に対して前記高さ方向軸線（２３）周りに１８０°回転されており、
前記第１のバヨネット受け（１０，１１）は、同じ構造の第２の滑動レール半部（２）の第２のバヨネットフック（８，９）と結合すべく、かつ前記第１のバヨネットフック（６，７）は、同じ構造の第２の滑動レール半部（２）の第２のバヨネット受け（１２，１３）と結合すべく、前記第１の接合面（１８，１９）が、接合したい前記同じ構造の第２の滑動レール半部（２）の、対応する前記第２の接合面（２０，２１）と接触するように構成されている、
第１の滑動レール半部（１）において、
前記第１のバヨネット受け（１０，１１）のところに第１のピン（２５）が配置されており、前記第１のピン（２５）は、前記第１の滑動面（１４，１５）と前記第２の滑動レール半部（２）の第２の滑動面（１６，１７）とが前記滑動平面（２２）内に配置されていて、前記第１の接合面（１８，１９）が少なくとも部分的に、対応する前記第２の接合面（２０，２１）と接触し、かつ前記第２のバヨネットフック（８，９）が前記第１のバヨネット受け（１０，１１）内に収容されていないとき、接合したい前記第２の滑動レール半部（２）の第２のバヨネットフック（８，９）と協働して、前記長手方向軸線（２４）に沿った前記第１の滑動レール半部（１）に対する前記第２の滑動レール半部（２）の移動を阻止することを特徴とする、２つの部分からなる滑動レール（３）用の第１の滑動レール半部（１）。
【請求項２】
２つの部分からなる滑動レール（３）用の第１の滑動レール半部（１）であって、
前記滑動レール（３）は、巻き掛け伝動装置（５）の巻き掛け手段（４）用に振動および波打ちを軽減する少なくとも１つの滑動面（１４，１５，１６，１７）を有し、
前記第１の滑動レール半部（１）は、少なくとも以下の構成要素、すなわち、
第１の接合面（１８，１９）と、
前記第１の接合面（１８，１９）に対して平行に延びる長手方向軸線（２４）と、
第１のバヨネット受け（１０，１１）であって、前記長手方向軸線（２４）方向の係止レール（２７，２８）と、前記係止レール（２７，２８）に接続されるバヨネットフック入口（３１，３２）とを、結合するために対応するように成形されたバヨネットフック（８，９）のために有する、第１のバヨネット受け（１０，１１）と、
を備える、
第１の滑動レール半部（１）において、
前記バヨネットフック入口（３１，３２）から前記係止レール（２７，２８）への移行部のところに、少なくとも１つの第１のピン（２５）が配置されており、前記第１のピン（２５）は、前記接合面（１８，１９）から垂直に所定の延在寸法（３５）を有し、好ましくは、前記延在寸法（３５）は、滑動面（１４，１５，１６，１７）に対して法線方向の高さ方向軸線（２３）に沿った前記係止レール（２７，２８）の高さ（３６）の少なくとも４分の１に数値的に相当することを特徴とする、２つの部分からなる滑動レール（３）用の第１の滑動レール半部（１）。
【請求項３】
巻き掛け伝動装置（５）の巻き掛け手段（４）用の振動および波打ちを軽減する滑動レール（３）であって、
前記滑動レール（３）は、少なくとも１つの滑動面（１４，１５，１６，１７）と、第１の滑動レール半部（１）と、少なくとも１つの第２の滑動レール半部（２）と、を備え、
前記第１の滑動レール半部（１）は、少なくとも以下の構成要素、すなわち、
第１のバヨネット受け（１０，１１）と、
第１の接合面（１８，１９）と、
前記第１の接合面（１８，１９）に対して平行に延びる長手方向軸線（２４）と、
を有し、
前記第２の滑動レール半部（２）は、少なくとも以下の構成要素、すなわち、
第２のバヨネットフック（８，９）と、
前記少なくとも１つの第１の接合面（１８，１９）への当接用の第２の接合面（２０，２１）と、
を有し、
前記第２のバヨネットフック（８，９）は、前記第１のバヨネット受け（１０，１１）と結合すべく、前記第１の接合面（１８，１９）が、接合したい前記第２の滑動レール半部（２）の前記第２の接合面（２０，２１）と接触するように構成されている、
滑動レール（３）において、
前記第１のバヨネット受け（１０，１１）のところに第１のピン（２５）が配置されており、前記第１のピン（２５）は、前記第１の接合面（１８，１９）が少なくとも部分的に前記第２の接合面（２０，２１）と、前記第１の滑動レール半部（１）を前記第２の滑動レール半部（２）に結合すべく接触し、かつ前記第２のバヨネットフック（８，９）が前記第１のバヨネット受け（１０，１１）内に収容されていないとき、接合したい前記第２の滑動レール半部（２）の前記第２のバヨネットフック（８，９）と協働して、前記長手方向軸線（２４）に沿った前記第１の滑動レール半部（１）に対する前記第２の滑動レール半部（２）の移動を阻止することを特徴とする滑動レール（３）。
【請求項４】
請求項１または２にしたがって形成されている第１の滑動レール半部（１）と、同じ構造の第２の滑動レール半部（２）とを備える、滑動レール（３）。
【請求項５】
前記第１の滑動レール半部（１）は、上側の第１の接合面（１８）と下側の第１の接合面（１９）とを有し、かつ好ましくは、上側の第１の滑動面（１４）と下側の第１の滑動面（１５）とを有し、
前記第２の滑動レール半部（２）は、上側の第２の接合面（２０）と下側の第２の接合面（２１）とを有し、かつ好ましくは、上側の第２の滑動面（１６）と下側の第２の滑動面（１７）とを有し、
前記第１の接合面（１８，１９）は、それぞれ少なくとも１つの第１のバヨネット受け（１０，１１）を有し、かつ好ましくは、それぞれ少なくとも１つの第１のバヨネットフック（６，７）を有し、
前記第２の接合面（２０，２１）は、それぞれ少なくとも１つの第２のバヨネットフック（８，９）を有し、かつ好ましくは、それぞれ少なくとも１つの第２のバヨネット受け（１２，１３）を有し、
前記少なくとも１つの第２のバヨネット受け（１２，１３）は、それぞれ前記少なくとも１つの第１のバヨネットフック（６，７）と、結合すべく対応するように形成されている、
請求項３または４記載の滑動レール（３）。
【請求項６】
少なくとも前記第２の滑動レール半部（２）は、流し込み成形構成部材であり、
前記第１の接合面（１８，１９）と前記第２の接合面（２０，２１）とが互いに完全に接触しているとき、前記第１の滑動レール半部（１）の前記第１のピン（２５）は、前記第２の滑動レール半部（２）の第２のピン収容部（３８）内に収容可能であり、
前記第２のピン収容部（３８）は、少なくとも部分的に前記第２のバヨネットフック（８，９）用の第２の離型開口（４０）により形成されている、
請求項５記載の滑動レール（３）。
【請求項７】
複数のピン（２５，２６）が形成されており、前記ピン（２５，２６）は、それぞれ、バヨネット受け（１０，１１，１２，１３）のところに配置されている、請求項３から６までのいずれか１項記載の滑動レール（３）。
【請求項８】
パワートレーン（４５）用の巻き掛け伝動装置（５）であって、
少なくとも以下の構成要素、すなわち、
第１の円錐シーブ対（４２）を有する少なくとも１つの伝動装置入力軸（４１）と、
第２の円錐シーブ対（４４）を有する少なくとも１つの伝動装置出力軸（４３）と、
前記第１の円錐シーブ対（４２）を前記第２の円錐シーブ対（４４）にトルクを伝達するように結合する少なくとも１つの巻き掛け手段（４）と、
前記少なくとも１つの巻き掛け手段（４）の振動および波打ちを軽減する請求項３から７までのいずれか１項記載の少なくとも１つの滑動レール（３）と、
を備える、パワートレーン（４５）用の巻き掛け伝動装置（５）。
【請求項９】
パワートレーン（４５）であって、
被動軸（４７）を有する駆動ユニット（４６）と、
少なくとも１つの消費器（４８，４９）と、
請求項８記載の巻き掛け伝動装置（５）と、
を備え、前記被動軸（４７）は、トルクを伝達すべく、前記巻き掛け伝動装置（５）により前記少なくとも１つの消費器（４８，４９）に、可変の変速比で接続可能である、パワートレーン（４５）。
【請求項１０】
請求項９記載のパワートレーン（４５）により駆動可能な少なくとも１つの駆動輪（４８，４９）を備える自動車（５０）。
【発明の詳細な説明】
【技術分野】
【０００１】
本発明は、巻き掛け伝動装置、特に自動車用巻き掛け伝動装置用の巻き掛け手段用に振動および波打ちを軽減するように構成した、２つの部分からなる滑動レール用の滑動レール半部および滑動レール（Ｇｌｅｉｔｓｃｈｉｅｎｅ）に関する。
【背景技術】
【０００２】
従来技術では、少なくとも一部領域において増速比（または減速比）の無段階の変更が可能な巻き掛け伝動装置が公知である。このために２つの円錐シーブ対が設けられており、円錐シーブ対は、それぞれ２つの円錐シーブを有している。円錐シーブは、それぞれ、円錐シーブの円錐面が向かい合うように方向付けられており、円錐シーブの共通の回転軸線に沿って互いに相対的に最大離間位置と最小離間位置との間で移動することができる。大抵の場合、一方の円錐シーブは、軸方向で固定されており、他方の円錐シーブは、軸方向で移動可能である。これにより、１つの円錐シーブ対の円錐シーブ間に、可変のシーブＶ溝（Ｓｃｈｅｉｂｅｎｋｅｉｌ）が形成される。１つの共通の巻き掛け手段、例えば伝達チェーンによって、両円錐シーブ対は、トルクを伝達するように互いに結合されている。巻き掛け手段は、或る円錐シーブ対の円錐シーブが互いに接近するように案内されるときは、この円錐シーブ対内で半径方向外方に移動し、円錐シーブ対が互いに離間するときは、この円錐シーブ対内で半径方向内方に移動する。この運動は、巻き掛け伝動装置内のそれぞれの円錐シーブ対において一般に真逆に実施されるので、巻き掛け手段の張力が（略）一定のままであり、円錐シーブ対間の間隔が固定されており、巻き掛け手段用の変向機構または張力付与機構を設けずに済む。
【０００３】
第１の円錐シーブ対に対して相対回動不能に伝動装置入力軸が固定され、巻き掛け手段によりトルクを伝達するように結合された第２の円錐シーブ対に対して相対回動不能に伝動装置出力軸が固定される。一方の円錐シーブ対の円錐シーブ相互の間隔が、他方の円錐シーブ対の選択された間隔との関係においてどの程度に選択されたかに応じて、変速比が調整可能である。
【０００４】
このような巻き掛け伝動装置は、例えば独国特許出願公開第１００１７００５号明細書において公知である。幾つかの適用分野では、巻き掛け伝動装置が、固定の変速段を有する一般的な変速機と組み合わされて、より大きな変速比幅が、比較的少数の固定の変速段によって達成される。
【０００５】
巻き掛け手段が、特にチェーンの（大抵の場合）有限のピッチから生じる多角形の軌跡に基づいて、１つの円錐シーブ対の円錐シーブ間に形成されるシーブＶ溝を結合接線方向で後にしないがために、およびシーブＶ溝内への進入時とシーブＶ溝からの進出時のその他の動的な効果のために、ならびに変速比の変更の結果として、または回転ムラその他の振動の結果として、巻き掛け手段は、巻き掛け手段平面を中心に振動する。巻き掛け手段平面（または略して振動平面）は、円錐シーブ対の調整された有効円の最短の接線結合、つまり、巻き掛け手段の幅に相当する、円錐シーブ間に形成されたシーブＶ溝切頂部（Ｓｃｈｅｉｂｅｎｋｅｉｌｓｔｕｍｐｆ）の間隔である。これにより、振動平面の位置は、変速比の変化に伴って変化する。振動平面は、一般に、巻き掛け手段のそれぞれの区間（スパン）、すなわち、張り側の区間（または緊張側の区間）または緩み側の区間の走行方向での中心平面と合致する。これらの振動を軽減すべく、従来技術では、滑動レールが使用され、滑動レールは、できる限り小さい遊びでもってできる限り長い延在寸法にわたって巻き掛け手段に当接し、巻き掛け手段の振動および波打ちを抑制する。このような滑動レールは、例えば上述の独国特許出願公開第１００１７００５号明細書において公知である。
【０００６】
多くの使用にとって、滑動レールを２つの部分から構成し、２つの滑動レール半部が側方から、つまり、巻き掛け伝動装置の軸方向で巻き掛け手段に被さるように移動でき、続いて互いに結合できるようになっていると、有利である。このような滑動レールの一例は、例えば独国特許出願公開第１０２０１３２１１７４８号明細書において公知である。しかし、意想外なことに、このような２つの部分からなる滑動レールを組み立てる際に、不正確な結合が起こり得ることが判明した。
【発明の概要】
【発明が解決しようとする課題】
【０００７】
このことから出発して、本発明の課題は、従来技術において知られる欠点を少なくとも部分的に克服することである。本発明の特徴は、独立請求項に看取可能であり、独立請求項に対して有利な実施の形態は、従属請求項に記載される。特許請求の範囲の特徴は、技術的に有意義なあらゆる形態で組み合わせ可能であり、これには、本発明の補足的な構成を含む以下の明細書の説明および図面に示す特徴も追加することができる。
【課題を解決するための手段】
【０００８】
本発明は、２つの部分からなる滑動レール用の滑動レール半部であって、滑動レールは、巻き掛け伝動装置の巻き掛け手段用に振動および波打ちを軽減するように構成されており、滑動レール半部は、少なくとも以下の構成要素、すなわち、
第１のバヨネットフックと、
第１のバヨネット受けと、
滑動平面内の第１の滑動面と、
第１の接合面と、
滑動平面に対して垂直な高さ方向軸線と、
滑動平面内で第１の接合面に対して平行に延びる長手方向軸線と、
を備え、
第１の接合面は、同じ構造の第２の滑動レール半部の第２の接合面の当接用に構成されており、同じ構造の第２の滑動レール半部は、接合のために、第１の滑動レール半部に対して相対的に高さ方向軸線周りに１８０°回転されており、
第１のバヨネット受けは、同じ構造の第２の滑動レール半部の第２のバヨネットフックと結合すべく、かつ第１のバヨネットフックは、同じ構造の第２の滑動レール半部の第２のバヨネット受けと結合すべく、第１の接合面が、接合したい同じ構造の第２の滑動レール半部の、対応する第２の接合面と接触するように構成されている、滑動レール半部に関する。滑動レール半部は、とりわけ、第１のバヨネット受けのところに第１のピンが配置されており、第１のピンは、第１の滑動面と第２の滑動面とが滑動平面内に配置されていて、第１の接合面が少なくとも部分的に、対応する第２の接合面と接触し、かつ第２のバヨネットフックが第１のバヨネット受け内に収容されていないとき、接合したい第２の滑動レール半部の第２のバヨネットフックと協働して、長手方向軸線に沿った第１の滑動レール半部に対して相対的な第２の滑動レール半部の移動を阻止することを特徴とする。
【０００９】
前もって説明しておくと、第１および第２という呼び名は、それぞれの滑動レール半部、つまり第１および第２の滑動レール半部に対応付けてそれぞれ使用したにすぎない。つまり、例えば第２のバヨネットフックと呼んだからといって、必ずしも第１のバヨネットフックがあるとは限らない。
【００１０】
滑動レール半部について、明細書中、第１の滑動レール半部を上位に説明している。これは、より良好な理解のためだけである。第２の滑動レール半部は、少なくとも列挙する特徴およびその空間的な配置に関して、同じ構造となっているので、この記載をもって、まさに第２の滑動レール半部についても記載したものとし、特徴を一対一に対応させて特定するために、それぞれ、「第１」を「第２」に、反対に「第２」を「第１」にその割り当てを置換することができる。それゆえ、以下では、第１および第２という呼び名を、両滑動レール半部に等しく当てはまるところでは、一部において省略する。同じ構造の構成から必然的に、両滑動レール半部を結合するための、（第１または第２の）バヨネットフックと（第２または第１の）バヨネット受けとからなるそれぞれのペアの、有意義な対応する配置が生じる。好ましくは、両滑動レール半部は、単一の流し込み成形型（Ｇｕｓｓｆｏｒｍ）を用いて、または同一のＣＮＣ加工、例えば切削加工を用いて製造可能である。しかし、これとは異なり、互いの方向付けにとって重要でない特徴および両滑動レール半部の結合にとって重要でない特徴に関する差異は、あってもよい。
【００１１】
一実施の形態では、滑動レールは、滑動レール半部に対して付加的に別の要素を有し、２つの主要素、すなわち、同じ構造の滑動レール半部だけに限らない。好ましくは、２つの部分からなる滑動レールは、同じ構造の両滑動レール半部のみから構成され、両滑動レール半部自体により十分に互いに、かつ好ましくは巻き掛け伝動装置に固定可能である。
【００１２】
巻き掛け手段の振動および波打ちを軽減すべく、滑動レールを巻き掛け伝動装置内に組み込んだ状態で、滑動面は、できる限り小さい遊びでもって巻き掛け手段に当接する。このために、滑動レールまたは少なくとも滑動面は、摩擦の少ない素材、好ましくはプラスチックから製造されている。好ましくは、滑動レール半部は、射出成形部材（Ｓｐｒｉｔｚｇｕｓｓｔｅｉｌ）である。この場合、滑動面は、加えて２つの滑動レール半部を互いに方向付けるために用いられる。好ましくは、下側および上側の滑動面が形成されており、下側および上側の滑動面は、巻き掛け手段に被さるように案内可能であり、そして滑動平面上の垂直な高さ方向軸線に関して巻き掛け手段に向かってかつ互いに方向付けられている。滑動レールとの関連で、ここで説明するように、滑動平面は選択的に、上側の滑動面が位置する平面または下側の滑動面が位置する平面と見なされる。補助的には、滑動平面を数学的な平面と見ずに、両滑動面間に垂直な広がりをもつものとして見れば十分であるが、この場合は、それぞれ、両滑動レール半部について同じ見方をしなければならない。一実施の形態では、滑動面は、それぞれ、互いに段付けした複数の部分に分割されている。滑動面の少なくとも一部、好ましくは滑動面全体が、それぞれ、巻き掛け伝動装置内に組み込んだ状態で円錐シーブ対の有効円間の接線方向の延在寸法を有する。一実施の形態では、例えば滑動面は、進入部分および／または進出部分を有し、進入部分および／または進出部分は、それぞれ、高さ方向軸線方向で巻き掛け手段から離間するように湾曲かつ／または傾斜している。
【００１３】
高さ方向軸線に沿って互いに方向付けられた滑動レール半部は、滑動平面内に位置し、長手方向軸線に対して横方向に方向付けられた結合方向に沿って、互いに接近するように案内される。しかし、バヨネットフックがそれぞれ対応するバヨネット受けに導入されていて初めて、両接合面は、完全に、つまり、接触するものとされたその面積全体にわたって、互いに接触することができる。接合面は、好ましくは、滑動平面に対して横方向であって、滑動面の延在方向に方向付けられた、つまり、巻き掛け伝動装置内に組み込んだ状態で巻き掛け手段の走行方向に対して平行に方向付けられた一平面内の、それぞれ１つの単一の連なった面である。別の実施の形態では、接合面は、複数の部分から、しかしそれぞれ対応するように形成されており、その結果、第１の滑動レール半部および第２の滑動レール半部の接合面のそれぞれ対応する部分は、両滑動レール半部が正しく互いに結合されたとき、互いに接触する。一実施の形態では、接合面は、それぞれ、互いに段付けした複数の部分に分割されている。
【００１４】
バヨネットフックは、ピン部分と受け部分とを有する。ピン部分は、受け部分に対して少なくとも一部細くされているとともに、バヨネット受けの深さを埋めることができるように構成された長さを有する。受け部分は、少なくとも１つのフランジを有し、フランジは、受け部分がバヨネット受けと当接し、そして両滑動レール半部を互いに堅固に結合するように構成されている。好ましい一実施の形態では、対応するバヨネット受けは、バヨネットフック入口を有し、バヨネットフック入口は、少なくとも、バヨネットフックの受け部分が導入可能な大きさとされている。バヨネットフック入口の側方には、係止レールが接続しており、係止レールは、少なくとも、バヨネットフックのピン部分が収容可能な大きさとされている。しかし同時に、係止レールは受け部分よりも小さいので、バヨネットフックは、係止レールの延在方向でしか移動することができない。その際、係止レールは、好ましくは、滑動平面に対して平行に延在するので、両滑動レール半部は、巻き掛け手段上に載置した状態で容易に互いに結合可能である。その際、係止レールは、ピン部分の長さに対応する深さを有するので、両滑動レール半部は、できる限り遊びなしに互いに結合されており、好ましくは、最終組み立て位置で互いに固定されている。
【００１５】
ピンが設けられなければ、不正確に組み立てられたとき、第１のバヨネットフックと、対応する第２のバヨネット受け（第１のペア）とが、正しく合体されている一方で、第２のバヨネットフックが、まだ、対応する第１のバヨネット受け（第２のペア）に導入されていないことがある（その逆もまた然りである）。そして閉鎖運動、つまり、長手方向軸線に沿った第２の滑動レール半部に対して相対的な第１の滑動レール半部の移動が実施されても、上掲の例では、第１のペアは、正しく結合されるが、第２のペアは、結合をなさない。さらに、多くの素材で、少なくとも１つの滑動レール半部または少なくとも正しく導入されていない（本例では第２の）バヨネットフックは、損傷してしまう。
【００１６】
上述の誤組み立てを回避すべく、ピンがバヨネット受け近傍に形成されている。このピンは、別のペアが互いに（正しく）係合していても、長手方向軸線に沿った完全な移動が不可能であるように、対応するバヨネットフックと協働する。不完全に移動させても、接合面は、完全には互いに重ならないので、組み立て工は、これを容易に認識することができる。好ましくは、移動は、正しく合体されたペアが、両滑動レール半部を結合する保持力を形成することがないように早期に阻止される。完全な移動の長さは、好ましくは、バヨネット受けの長さから、対応するバヨネットフックの長手方向軸線方向の寸法を差し引いた長さに相当する。
【００１７】
好ましい一実施の形態では、ピンは、対応するバヨネットフックの延在長さの少なくとも４分の１に相当する延在寸法を接合面から有する。これにより、ピンの乗り越えが確実に阻止される。代替的な実施の形態では、乗り越えは、滑動レール半部またはバヨネットフックの結果として生じる変形に至らしめ、この変形は、組み立て工に誤組み立てを知らせる。
【００１８】
好ましくは、誤組み立てを回避すべく、各バヨネット受けにこのようなピンが形成されている。好ましくは、１つの滑動レール半部は、それぞれ２つのバヨネットフックと２つのバヨネット受けとを備え、具体的には、滑動面毎に一対ずつ、好ましくは、接合面の長手方向で端部近傍に備えている。
【００１９】
本発明の代替的または補足的な実施の形態では、２つの部分からなる滑動レール用の滑動レール半部であって、滑動レールは、巻き掛け伝動装置の巻き掛け手段用に振動および波打ちを軽減する少なくとも１つの滑動面を有し、滑動レール半部は、少なくとも以下の構成要素、すなわち、
第１の接合面と、
第１の接合面に対して平行に延びる長手方向軸線と、
第１のバヨネット受けであって、長手方向軸線方向の係止レールと、係止レールに接続されるバヨネットフック入口とを、結合するために対応するように成形されたバヨネットフックのために有する、第１のバヨネット受けと、
を備える、滑動レール半部を提案する。滑動レール半部は、とりわけ、バヨネットフック入口から係止レールへの移行部のところに、少なくとも１つの第１のピンが配置されており、第１のピンは、接合面から垂直に所定の延在寸法を有し、好ましくは、この延在寸法は、滑動レールの滑動面に対して法線方向の高さ方向軸線に沿った係止レールの高さの少なくとも４分の１に数値的に相当することを特徴とする。
【００２０】
滑動レール半部は、２つの部分からなる滑動レールの構成部分であり、完全な滑動レールを形成すべく、第２の滑動レール半部が設けられている。その際、滑動レール半部は、必ずしも対称でなく、それゆえ、必ずしも滑動レールの数学的半分ではない。さらに、一実施の形態では、滑動レールは、滑動レール半部に対して付加的に別の要素を有する。好ましくは、２つの部分からなる滑動レールは、２つの滑動レール半部のみから構成され、両滑動レール半部自体により十分に互いに、かつ好ましくは巻き掛け伝動装置に固定可能である。この場合、滑動レールは、少なくとも１つの滑動面を有し、滑動面は、巻き掛け伝動装置の巻き掛け手段の振動および波打ちを軽減すべく、巻き掛け手段にできる限り遊びなしに当接するように構成されている。この場合、少なくとも１つの滑動面は、ここで説明した滑動レール半部および／または対応する滑動レール半部により形成される。
【００２１】
滑動レールまたは少なくとも滑動面は、巻き掛け手段へのできる限り摩擦の少ない当接のために、摩擦の少ない素材、好ましくはプラスチックから製造されている。好ましくは、滑動レール半部は、射出成形部材である。加えて滑動面は、好ましくは、２つの滑動レール半部を互いに方向付けるために用いられる。代替的な実施の形態では、一方の滑動レール半部だけが、少なくとも１つの滑動面を備え、対応する滑動レール半部は、滑動面なしに、他方の滑動レール半部に対して方向付け可能である。好ましくは、下側および上側の滑動面が形成されており、下側および上側の滑動面は、巻き掛け手段に被さるように案内可能であり、滑動平面上の垂直な高さ方向軸線に関して巻き掛け手段に向かって方向付けられている。ここで説明するように、滑動レールとの関連で、滑動平面は選択的に、上側の滑動面が位置する平面または下側の滑動面が位置する平面と見なされる。補助的には、滑動平面を数学的な平面と見ずに、両滑動面間に垂直な広がりをもつものとして見れば十分であるが、この場合は、それぞれ、両滑動レール半部について同じ見方をしなければならない。一実施の形態では、少なくとも１つの滑動面は、互いに段付けした複数の部分に分割されている。滑動面の少なくとも一部、好ましくは滑動面全体が、それぞれ、巻き掛け伝動装置内に組み込んだ状態で円錐シーブ対の有効円間の接線方向の延在寸法を有する。例えば滑動面は、一実施の形態において、進入部分および／または進出部分を有し、進入部分および／または進出部分は、それぞれ、高さ方向軸線方向で巻き掛け手段から離間するように湾曲かつ／または傾斜している。
【００２２】
互いに方向付けられた滑動レール半部は、好ましくは、滑動平面に対して平行に配置され、長手方向軸線に対して横方向に方向付けられた結合方向に沿って、互いに接近するように案内される。しかし、バヨネットフックが第１のバヨネット受けに導入されていて初めて、または複数のバヨネットフックと、対応するバヨネット受けとがあるとき、これらすべてがそれぞれ導入されていて初めて、両接合面は、完全に、つまり、接触するものとされたその面積全体にわたって、互いに接触することができる。接合面は、好ましくは、滑動平面に対して横方向であって、滑動面の延在方向に方向付けられた、つまり、巻き掛け伝動装置内に組み込んだ状態で巻き掛け手段の走行方向に対して平行に方向付けられた一平面内の、単一の連なった面である。別の実施の形態では、接合面は、複数の部分から形成されており、その結果、第１の滑動レール半部および対応する第２の滑動レール半部の接合面のそれぞれ対応する部分は、１つの滑動レールの両滑動レール半部が正しく互いに結合されたとき、互いに接触している。一実施の形態では、接合面は、互いに段付けした複数の部分に分割されている。
【００２３】
バヨネット受けは、バヨネットフック入口を有し、バヨネットフック入口は、少なくとも、対応するバヨネットフックが導入可能な大きさとされている。バヨネットフック入口の側方には、係止レールが接続しており、係止レールは、少なくとも、完全に導入されたバヨネットフックが収容可能な大きさとされている。しかし、同時に係止レールは、バヨネットフック入口よりも小さいので、その中に導入されたバヨネットフックは、係止レールの延在方向でしか移動することができない。加えて、対応するバヨネットフックは、好ましくはピン部分と受け部分とを有する。ピン部分は、受け部分に対して少なくとも一部細くされているとともに、バヨネット受けの係止部分の深さを埋めることができるように構成された長さを有する。受け部分は、少なくとも１つのフランジを有し、フランジは、受け部分がバヨネット受けと当接し、両滑動レール半部を互いに堅固に結合するように構成されている。その際、係止レールは、ピン部分の長さに対応する深さを有するので、両滑動レール半部は、できる限り遊びなしに互いに結合されており、好ましくは、最終組み立て位置で互いに固定されている。
【００２４】
ピンが設けられなければ、不正確に組み立てられたとき、少なくとも１つの別の結合ペアが正しく合体されている一方で、バヨネット受けが、まだ、対応するバヨネットフックを収容していないことがある。閉鎖運動、つまり、対応する滑動レール半部の互いに相対的な移動が実施されても、上述の別の結合ペアは、正しく結合されるが、上述のバヨネット受けと、対応するバヨネットフックとからなるペアは、結合をなさない。さらに、多くの素材で、少なくとも１つの滑動レール半部または少なくとも正しく導入されていないバヨネットフックは、損傷してしまう。
【００２５】
上述の誤組み立てを回避すべく、ピンがバヨネット受け近傍に形成されている。このピンは、別の結合ペアが互いに（正しく）係合していても、結合のための完全な移動が不可能であるように、対応するバヨネットフックと協働する。不完全に移動させても、接合面は、完全には互いに重ならないので、組み立て工は、これを容易に認識することができる。好ましくは、正しく合体された結合ペアが、両滑動レール半部を結合する保持力を形成することがないように、移動は早期に阻止される。完全な移動の長さは、好ましくは、バヨネット受けの長さから、対応するバヨネットフックの長手方向軸線方向の寸法を差し引いた長さに相当する。
【００２６】
加えて、ピンは、少なくとも係止部分の高さの半分および／または対応するバヨネットフックの延在長さの４分の１に相当する延在寸法を接合面から有する。これにより、ピンの乗り越えが確実に阻止される。代替的な実施の形態では、乗り越えは、滑動レール半部またはバヨネットフックの結果として生じる変形に至らしめ、この変形は、組み立て工に誤組み立てを知らせる。
【００２７】
好ましくは、誤組み立てを回避すべく、各バヨネット受けにこのようなピンが形成されている。好ましくは、１つの滑動レール半部は、それぞれ２つのバヨネットフックと２つのバヨネット受けとを備え、具体的には、滑動面毎に一対ずつ、好ましくは、接合面の長手方向で端部近傍に備えている。
【００２８】
好ましい一実施の形態では、ここで提案する滑動レール半部は、この滑動レール半部が、少なくとも方向付けおよび結合にとって重要な構成要素に関して同じ構造の滑動レール半部と結合可能であるように構成されている。
【００２９】
さらに、本発明は、巻き掛け伝動装置の巻き掛け手段用の振動および波打ちを軽減する滑動レールであって、滑動レールは、少なくとも１つの滑動面と、第１の滑動レール半部と、少なくとも１つの第２の滑動レール半部と、を備え、
第１の滑動レール半部は、少なくとも以下の構成要素、すなわち、
第１のバヨネット受けと、
第１の接合面と、
第１の接合面に対して平行に延びる長手方向軸線と、
を有し、
第２の滑動レール半部は、少なくとも以下の構成要素、すなわち、
第２のバヨネットフックと、
少なくとも１つの第１の接合面への当接用の第２の接合面と、
を有し、
第２のバヨネットフックは、第１のバヨネット受けと結合すべく、第１の接合面が、接合したい第２の滑動レール半部の第２の接合面と接触するように構成されている、滑動レールに関する。この場合、滑動レールは、とりわけ、第１のバヨネット受けのところに第１のピンが配置されており、第１のピンは、第１の接合面が少なくとも部分的に第２の接合面と、第１の滑動レール半部を第２の滑動レール半部に結合すべく接触し、かつ第２のバヨネットフックが第１のバヨネット受け内に収容されていないとき、接合したい第２の滑動レール半部の第２のバヨネットフックと協働して、長手方向軸線に沿った第１の滑動レール半部に対して相対的な第２の滑動レール半部の移動を阻止することを特徴とする。
【００３０】
２つの部分からなる滑動レールは、第１の滑動レール半部と第２の滑動レール半部とを備える。その際、滑動レール半部は、必ずしも対称でなく、それゆえ、必ずしも滑動レールの数学的半分でもない。さらに滑動レールは、一実施の形態において、滑動レール半部に対して付加的に別の要素を備える。好ましくは、２つの部分からなる滑動レールは、２つの滑動レール半部のみから構成され、両滑動レール半部自体により十分に互いに、かつ好ましくは巻き掛け伝動装置に固定可能である。
【００３１】
巻き掛け手段の振動および波打ちを軽減すべく、滑動レールを巻き掛け伝動装置内に組み込んだ状態で、滑動レールの少なくとも１つの滑動面は、できる限り小さい遊びでもって巻き掛け手段に当接する。第１の滑動レール半部および／または第２の滑動レール半部は、少なくとも１つの滑動面を有する。このために、滑動レールまたは少なくとも滑動面は、摩擦の少ない素材、好ましくはプラスチックから製造されている。好ましくは、滑動レール半部は、射出成形部材である。好ましくは、下側および上側の滑動面が形成されており、下側および上側の滑動面は、巻き掛け手段に被さるように案内可能であり、そして滑動平面上の垂直な高さ方向軸線に関して巻き掛け手段に向かってかつ互いに方向付けられている。ここで説明するように、滑動レールとの関連で、滑動平面は選択的に、上側の滑動面が位置する平面または下側の滑動面が位置する平面と見なされる。補助的には、滑動平面を数学的な平面と見ずに、両滑動面間に垂直な広がりをもつものとして見れば十分であるが、この場合は、それぞれ、両滑動レール半部について同じ見方をしなければならない。一実施の形態では、滑動面は、それぞれ、互いに段付けした複数の部分に分割されている。滑動面の少なくとも一部、好ましくは滑動面全体が、それぞれ、巻き掛け伝動装置内に組み込んだ状態で円錐シーブ対の有効円間の接線方向の延在寸法を有する。例えば滑動面は、一実施の形態において、進入部分および／または進出部分を有し、進入部分および／または進出部分は、それぞれ、高さ方向軸線方向で巻き掛け手段から離間するように湾曲かつ／または傾斜している。好ましくは、両滑動レール半部は、それぞれ少なくとも１つの滑動面を有し、滑動面は、この場合、加えて、組み立て時に２つの滑動レール半部を互いに方向付けるために用いられる。
【００３２】
互いに方向付けられた滑動レール半部は、好ましくは、滑動平面に対して平行に配置され、長手方向軸線に対して横方向に方向付けられた結合方向に沿って、互いに接近するように案内される。しかし、第２のバヨネットフックが第１のバヨネット受けに導入されていて初めて、または複数のバヨネットフックと、対応するバヨネット受けとがあるとき、これらすべてがそれぞれ導入されていて初めて、両接合面は、完全に、つまり、接触するものとされたその面積全体にわたって、互いに接触することができる。接合面は、それぞれ、好ましくは、滑動平面に対して横方向であって、滑動面の延在方向に方向付けられた、つまり、巻き掛け伝動装置内に組み込んだ状態で巻き掛け手段の走行方向に対して平行に方向付けられた一平面内の、単一の連なった面である。別の実施の形態では、接合面は、複数の部分から形成されており、その結果、第１の滑動レール半部および対応する第２の滑動レール半部の接合面のそれぞれ対応する部分は、１つの滑動レールの両滑動レール半部が正しく互いに結合されたとき、互いに接触している。一実施の形態では、接合面は、互いに段付けした複数の部分に分割されている。
【００３３】
好ましい一実施の形態では、第１のバヨネット受けは、バヨネットフック入口を有し、バヨネットフック入口は、少なくとも、第２のバヨネットフックが導入可能な大きさとされている。バヨネットフック入口の側方には、係止レールが接続しており、係止レールは、少なくとも、完全に導入された第２のバヨネットフックが収容可能な大きさとされている。しかし、同時に係止レールは、バヨネットフック入口よりも小さいので、その中に導入された第２のバヨネットフックは、係止レールの延在方向でしか移動することができない。加えて第２のバヨネットフックは、好ましくはピン部分と受け部分とを有する。ピン部分は、受け部分に対して少なくとも一部細くされているとともに、バヨネット受けの係止部分の深さを埋めることができるように構成された長さを有する。受け部分は、少なくとも１つのフランジを有し、フランジは、受け部分がバヨネット受けと当接し、両滑動レール半部を互いに堅固に結合するように構成されている。その際、係止レールは、ピン部分の長さに対応する深さを有するので、両滑動レール半部は、できる限り遊びなしに互いに結合されており、好ましくは、最終組み立て位置で互いに固定されている。
【００３４】
ピンが設けられなければ、不正確に組み立てられたとき、少なくとも１つの別の結合ペアが正しく合体されている一方で、第１のバヨネット受けが、まだ第２のバヨネットフックを収容していないことがある。閉鎖運動、つまり、両滑動レール半部の互いに相対的な移動が実施されても、上述の別の結合ペアは、正しく結合されるが、第１のバヨネット受けと第２のバヨネットフックとからなるペアは、結合をなさない。さらに、多くの素材で、少なくとも１つの滑動レール半部または少なくとも正しく導入されていないバヨネットフックは、損傷してしまう。
【００３５】
上述の誤組み立てを回避すべく、ピンがバヨネット受け近傍に形成されている。このピンは、別の結合ペアが互いに（正しく）係合していても、結合のための完全な移動が不可能であるように、対応するバヨネットフックと協働する。不完全に移動させても、接合面は、完全には互いに重ならないので、組み立て工は、これを容易に認識することができる。好ましくは、正しく合体された結合ペアが、両滑動レール半部を結合する保持力を形成することがないように、移動は早期に阻止される。完全な移動の長さは、好ましくは、バヨネット受けの長さから、対応するバヨネットフックの長手方向軸線方向の寸法を差し引いた長さに相当する。
【００３６】
加えて、ピンは、第１または第２のバヨネットフックの延在長さの少なくとも４分の１に相当する延在寸法を接合面から有する。これにより、ピンの乗り越えが確実に阻止される。代替的な実施の形態では、乗り越えは、滑動レール半部またはバヨネットフックの結果として生じる変形に至らしめ、この変形は、組み立て工に誤組み立てを知らせる。
【００３７】
好ましくは、複数のバヨネット受けと、対応するバヨネットフックとが形成されており、好ましくは、誤組み立てを回避すべく、各バヨネット受けにこのようなピンが形成されている。好ましくは、１つの滑動レール半部は、それぞれ２つのバヨネットフックと２つのバヨネット受けとを有し、具体的には、滑動面毎に一対ずつ、好ましくは、接合面の長手方向で端部近傍に有している。
【００３８】
滑動レールの有利な一実施の形態では、第１の滑動レール半部および第２の滑動レール半部は、上述の第２の実施の形態にしたがって、かつ／または上述の第１の実施の形態にしたがって同じ構造に形成されている。
【００３９】
第２の実施の形態の変化形態では、結合の高いフレキシビリティが得られ、必ずしも、正しい組み立てのための巻き掛け手段および接合面における二重の方向付けを必要としない。好ましいのは、滑動レール半部の同じ構造の実施の形態である。それというのも、これにより、特に大量生産のために、かなりの製造コストが削減可能であるからである。
【００４０】
滑動レールの有利な一実施の形態では、第１の滑動レール半部は、上側の第１の接合面と下側の第１の接合面とを有し、かつ好ましくは、上側の第１の滑動面と下側の第１の滑動面とを有し、第２の滑動レール半部は、上側の第２の接合面と下側の第２の接合面とを有し、かつ好ましくは、上側の第２の滑動面と下側の第２の滑動面とを有し、第１の接合面は、それぞれ少なくとも１つの第１のバヨネット受けを有し、かつ好ましくは、それぞれ少なくとも１つの第１のバヨネットフックを有し、第２の接合面は、それぞれ少なくとも１つの第２のバヨネットフックを有し、かつ好ましくは、それぞれ少なくとも１つの第２のバヨネット受けを有し、少なくとも１つの第２のバヨネット受けは、それぞれ少なくとも１つの第１のバヨネットフックと、結合すべく対応するように形成されている。
【００４１】
本実施の形態では、巻き掛け伝動装置の巻き掛け手段内の振動および波打ちを軽減する特に良好な特性が、滑動面が上下から、つまり、巻き掛け手段の起こり得る振動および波打ちの振幅方向で、できる限り遊びなしに当接していることにより、達成される。滑動面毎にバヨネットフックとバヨネット受けとからなるそれぞれ少なくとも１つのペアを介して、滑動面の高い安定性が達成される。好ましくは、このためにそれぞれ１つのこのようなペアが、巻き掛け手段の走行方向で一端に配置されている。
【００４２】
滑動レールの有利な一実施の形態では、少なくとも第２の滑動レール半部は、流し込み成形構成部材（Ｇｕｓｓｂａｕｔｅｉｌ）であり、第１の接合面と第２の接合面とが互いに完全に接触しているとき、第１の滑動レール半部の第１のピンは、第２の滑動レール半部の第２のピン収容部内に収容可能であり、第２のピン収容部は、少なくとも部分的に第２のバヨネットフック用の第２の離型開口により形成されている。
【００４３】
この有利な実施の形態では、バヨネットフックを形成する幾つかの流し込み成形型について、離型不能なアンダカットを回避するために、離型開口がバヨネットフックのところに設けられねばならないという流し込み成形部材の製造上の事情が利用される。この離型開口は、特に、現在使用されている滑動レール半部に設けられている。ピンを両滑動レール半部の結合時に沈めるために、このような離型開口は特に好適である。離型開口は、場合によっては、両滑動レール半部を結合すべく移動させる前に既にピンを受け入れることができるようにするには、側方に拡張されるだけでよい。この場合、ピンは、好ましくは、対応する離型開口の寸法に応じて形成されている。
【００４４】
滑動レールの有利な一実施の形態では、複数のピンが形成されており、ピンは、それぞれ、バヨネット受けのところに配置されている。
【００４５】
特に好ましくは、各バヨネット受けに上述のピンが配置されている。これにより、起こり得るあらゆる誤組み立ては、阻止されるか、または少なくとも困難となり、または誤組み立てについて組み立て工に注意喚起する。別の一変化形態では、経験的に誤組み立てが頻繁に起こるペアのところにのみ、このようなピンが配置されている。
【００４６】
本発明の別の態様では、パワートレーン用の巻き掛け伝動装置であって、少なくとも以下の構成要素、すなわち、
第１の円錐シーブ対を有する少なくとも１つの伝動装置入力軸と、
第２の円錐シーブ対を有する少なくとも１つの伝動装置出力軸と、
第１の円錐シーブ対を第２の円錐シーブ対にトルクを伝達するように結合する少なくとも１つの巻き掛け手段と、
少なくとも１つの巻き掛け手段の振動および波打ちを軽減する上述の実施の形態による少なくとも１つの滑動レールと、
を備える、パワートレーン用の巻き掛け伝動装置を提案する。
【００４７】
ここで提案する巻き掛け伝動装置により、トルクは、増速または減速自在に伝達可能であり、このとき、伝達は、少なくとも一部領域において無段階に調整可能である。その際、変速は、２つの円錐シーブ対を介して上述したように調整される。その際、巻き掛け手段は、それぞれ互いに相対的に可動な円錐シーブ対間に配置され、トルクを一方の円錐シーブ対から他方の円錐シーブ対に伝達する。好ましくは、その際、巻き掛け手段は、一定の長さに維持される。この場合、少なくとも１つの滑動レールは、巻き掛け手段に対して平行に常に当接しているように方向付けられている。少なくとも１つの滑動レールの、巻き掛け伝動装置内での組み立ては、明らかに簡単化され、エラーも生じにくい。
【００４８】
本発明の別の態様では、パワートレーンであって、被動軸を有する駆動ユニットと、少なくとも１つの消費器と、上述の巻き掛け伝動装置と、を備え、被動軸は、トルクを伝達すべく、巻き掛け伝動装置により少なくとも１つの消費器に、可変の変速比で接続可能である、パワートレーンを提案する。
【００４９】
パワートレーンは、駆動ユニット、例えばエネルギ変換機械から提供され、駆動ユニットの被動軸を介して放出されるトルク、例えば内燃機関または電気モータのトルクを、必要に応じて、つまり、必要な回転数および必要なトルクを考慮しつつ、使用箇所のために伝達するように構成されている。使用箇所は、例えば自動車の少なくとも１つの駆動輪および／または電気エネルギを提供する発電機である。トルクを適当に、かつ／または変速機を用いて様々な変速比で伝達すべく、上述の巻き掛け伝動装置の利用は、大きな変速比幅が小さなスペースで達成可能であるために、特に有利である。反対に、この場合は駆動ユニットを形成することになる例えば駆動輪から入力される慣性エネルギを巻き掛け伝動装置により発電機へ、回生のために、つまり、制動エネルギを電気的に蓄えるために、取り込むことも、相応に構成されたトルク伝達トレーンによって実現可能である。さらに、好ましい一実施の形態では、複数の駆動ユニットが設けられており、駆動ユニットは、直列または並列に接続されて、または互いに連結解除されて運転可能であり、駆動ユニットのトルクは、上述の巻き掛け伝動装置によりそれぞれ必要に応じて使用に供することができる。その例として、電気モータと内燃機関とからなるハイブリッドドライブが挙げられるが、個々のシリンダ（シリンダ群）が作動切り換え可能となった多気筒エンジンも、その例に含まれる。巻き掛け伝動装置は、特に、使用される少なくとも１つの滑動レールが確実に、かつ正確にしか組み立てることができないことにより、上述の利点の確実かつ低コストの実現を可能にする。少なくとも１つの滑動レールの、不正確な組み立ての結果としての失陥は、これにより排除される。
【００５０】
本発明の別の態様では、上述のパワートレーンにより駆動可能な少なくとも１つの駆動輪を備える自動車を提案する。
【００５１】
大抵の自動車は、昨今、フロントドライブを備え、一部において駆動ユニット、例えば内燃機関または電気モータを運転手室前方に、主走行方向に沿って配置している。半径方向の取り付けスペースは、まさにこのような配置で特に小さく、それゆえ、小さな構造サイズの巻き掛け伝動装置を使用することが、特に有利である。取り付けスペースは同じまま、明らかに高められた出力が求められる自動二輪での巻き掛け伝動装置の使用も、同様である。同時にこのようなシステムの信頼性は、ユーザサイドでのメンテナンスの余地が少ないため、一定に維持されるか、またはそれどころか向上されねばならない。
【００５２】
この問題は、欧州の分類でいうクラインワーゲン（Ｋｌｅｉｎｗａｇｅｎ：小型車）クラスの乗用自動車において先鋭化してしまう。クラインワーゲンクラスの乗用自動車で使用されるアッセンブリは、より大型の車両クラスの乗用自動車と比べてそれほど小型化されていない。それにもかかわらず、クラインワーゲンにおいて利用可能な取り付けスペースは、遙かに小さい。上述のパワートレーンは、取り付けスペース要求を満たすと同時に、正確に組み付けられる滑動レールに基づいて、巻き掛け手段の振動および波打ちを低摩耗に軽減することを可能にする巻き掛け伝動装置を備える。
【００５３】
乗用自動車は、例えば大きさ、価格、重量および出力に応じて車両クラスに分類される。この定義は、市場の要求に応じて絶えず変化する。米国の市場では、欧州の分類でいうクラインワーゲンおよびクラインストワーゲン（Ｋｌｅｉｎｓｔｗａｇｅｎ：最小型車）のクラスの車両は、サブコンパクトカー（Ｓｕｂｃｏｍｐａｃｔ  Ｃａｒ）のクラスに分類され、英国の市場では、スーパーミニ（Ｓｕｐｅｒｍｉｎｉ）のクラスまたはシティカー（Ｃｉｔｙ  Ｃａｒ）のクラスに相当する。クラインストワーゲンクラスの例は、フォルクスワーゲン・アップ！（Ｖｏｌｋｓｗａｇｅｎ  ｕｐ！）またはルノー・トゥインゴ（Ｒｅｎａｕｌｔ  Ｔｗｉｎｇｏ）である。クラインワーゲンクラスの例は、アルファロメオ・ミト（Ａｌｆａ  Ｒｏｍｅｏ  Ｍｉｔｏ）、フォルクスワーゲン・ポロ（Ｖｏｌｋｓｗａｇｅｎ  Ｐｏｌｏ）、フォード・フィエスタ（Ｆｏｒｄ  Ｆｉｅｓｔａ）またはルノー・クリオ（Ｒｅｎａｕｌｔ  Ｃｌｉｏ）である。
【００５４】
以下、上述の発明について、関連する技術的背景を前提に、有利な形態を示す添付図面を参照しながら、詳細に説明する。本発明は、純然たる概略図によって何ら限定されない。附言すると、図面は、正確な縮尺で示したものでなく、大きさの関係を規定するには不適である。
【図面の簡単な説明】
【００５５】
【図１】ピンなしの２つの滑動レール半部を備える滑動レールを示す図である。
【図２】滑動レールの不正確な組み立ての第１のバリエーションを示す図である。
【図３】滑動レールの不正確な組み立ての第２のバリエーションを示す図である。
【図４】滑動レールの不正確な組み立ての第３のバリエーションを示す図である。
【図５】本発明に係る滑動レール半部の立体図である。
【図６】本発明に係る滑動レール半部の側面図である。
【図７】ピンとバヨネットフックとを備える２つの滑動レール半部の一部を下から見た平面図である。
【図８】ピンとバヨネットフックとを備える２つの滑動レール半部の一部を下から見た立体図である。
【図９】ピンとバヨネットフックとを備える２つの滑動レール半部の一部の、正しく組み立てる前の状態の側面図である。
【図１０】ピンとバヨネットフックとを備える２つの滑動レール半部の一部の、正しく組み立てた状態の側面図である。
【図１１】滑動レール半部を巻き掛け手段の走行方向で見た図である。
【図１２】滑動レールを備える巻き掛け伝動装置を示す図である。
【図１３】自動車内のパワートレーンを示す図である。
【発明を実施するための形態】
【００５６】
本発明の選択した図面には、より良好な理解の一助としてのみ、２つの同一の滑動レール半部を使用した滑動レールの単一の実施の形態を示してある。
【００５７】
図１には、同じ構造の第１の滑動レール半部１と第２の滑動レール半部２とを使用した滑動レール３を示してある。これらの滑動レール半部１および２は、互いに対向するように高さ方向軸線２３周りに１８０°互いに回転されて配置されており、１つの共通の平面、例えば滑動平面２２（図１には図示せず、図５参照）内、図１では紙面内、で結合すべく、互いに方向付けられている。例えば第２の滑動レール半部２を結合運動５６に沿って第１の滑動レール半部１に向かって送ると、両滑動レール半部１および２は、バヨネットフック６，７，８および９と、図１では隠れて見えない対応するバヨネット受け１０，１１，１２および１３（図５参照）とによって互いに堅固に結合することができる。
【００５８】
図２ないし図４には、滑動レール３の、図１に示したこのアッセンブリを組み立てる際に起こり得るエラーの３つの典型例を示してある。
【００５９】
図２には、１つの典型例を上から、すなわち、巻き掛け手段４により形成される環（図１２参照）の外側から見た平面図で示してある。本典型例では、上側の両バヨネットフック、すなわち、第１の滑動レール半部１の上側の第１のバヨネットフック６および第２の滑動レール半部２の上側の第２のバヨネットフック８が、正しく結合されていない一方、下側のバヨネットフック、すなわち、下側の第１のバヨネットフック７および下側の第２のバヨネットフック９（ともに隠れて見えない）は、それ自体だけで見れば、正しく結合されている。この場合、上側の第１の接合面１８と上側の第２の接合面２０とは、互いにまったく接触していない。
【００６０】
図３には、１つの典型例を下から、すなわち、巻き掛け手段４により形成される環（図１２参照）の内側から見た平面図で示してある。図３には、さらに、第１の滑動レール半部１の第１の軸受収容部５４および第２の滑動レール半部２の第２の軸受収容部５５が看取可能であり、第１の軸受収容部５４および第２の軸受収容部５５により、滑動レール３は、正しく組み立てられた状態にあれば、巻き掛け手段４（図１２参照）の位置に合わせて、調整された変速比に応じて傾倒自在に軸支可能である。本典型例では、下側の両バヨネットフック、すなわち、第１の滑動レール半部１の下側の第１のバヨネットフック７および第２の滑動レール半部２の下側の第２のバヨネットフック９が、正しく結合されていない一方、上側のバヨネットフック、すなわち、上側の第１のバヨネットフック６および上側の第２のバヨネットフック８（ともに隠れて見えない）は、それ自体だけで見れば、正しく結合されている。このとき、下側の第１の接合面１９と下側の第２の接合面２１とは、互いにまったく接触していない。
【００６１】
図４には、１つの典型例を、図３に示したのと同様に下から見た平面図で示してある。図４には、さらに巻き掛け手段４が示されており、巻き掛け手段４は、両滑動レール半部１および２によって囲繞されている。本典型例では、第１の滑動レール半部１の下側の第１のバヨネットフック７が、かつ場合によっては第２の滑動レール半部２の上側の第２のバヨネットフック８も（図４では巻き掛け手段４によって隠れて見えない）、正しく結合されていない一方、他のバヨネットフック、例えば下側の第２のバヨネットフック９は、それ自体だけで見れば、正しく結合されている。このとき、少なくとも下側の第１の接合面１９は、かつ場合によっては下側の第２の接合面２１は、当接予定の面積全体にわたっては互いに接触していない。この典型例は、原則、逆さになることもあり得るが、逆さの典型例は、実現し難いことも判っている。
【００６２】
図５および図６には、完全に同一の構成とされた滑動レール３（図１参照）用の滑動レール半部１または２の本発明の一実施の形態を示してある。このような同じ構造の２つの滑動レール半部１および２を結合するには、滑動レール半部の一方を、図１に示したように、高さ方向軸線２３周りに１８０°回転させる。高さ方向軸線２３は、（仮想の）滑動平面２２に対して法線方向、つまり垂直に方向付けられており、滑動平面２２は、ここでは数学的に示されており、上側の第１の滑動面１４または第２の滑動面１６の平面内に位置している。これにより、長手方向軸線２４も、この滑動平面２２内に位置している。本実施の形態では、上側の第１の滑動面１４または第２の滑動面１６と、下側の第１の滑動面１５または第２の滑動面１７とが設けられている。相応して（少なくとも間接的に）、本実施の形態では９０°のコーナを介して、上側の第１の接合面１８または第２の接合面２０は、上側の滑動面１４または１６に接続し、同様に下側の第１の接合面１９または第２の接合面２１は、下側の滑動面１５または１７に接続している。接合面１８ないし２１は、この同じ構造の実施の形態では、それぞれ１つのバヨネットフック６ないし９と、それぞれ１つのバヨネット受け１０ないし１３とを有する。例えば第１の滑動レール半部１の上側の第１のバヨネットフック６は、結合のために、１８０°回転された第２の滑動レール半部２の上側の第２のバヨネット受け１２に導入可能である。結合のために、バヨネット受け１０ないし１３は、それぞれ１つのバヨネットフック入口３１ないし３４を有し、バヨネットフック入口３１ないし３４の寸法は、対応するバヨネットフック６ないし９を導入することができるように構成されている。バヨネットフック入口３１ないし３４から側方に、それぞれ１つの係止レール２７ないし３０が配置されている。減じられた寸法を有し、結果として本実施の形態ではＬ字形を生じさせる、これらの係止レール２７ないし３０の背後に回り込むように、バヨネットフック６ないし９の受け部分が案内可能である一方、バヨネットフック６ないし９のピン部分は、係止レール２７ないし３０の狭まった貫通部内に位置する。これにより、第１の滑動レール半部１と第２の滑動レール半部２とを、互いに堅固に結合可能である。バヨネットフック６ないし９は、本例では、それぞれ同じく１つの（Ｌ字形のバヨネット受け１０ないし１３に対応する）Ｌ字形を形成している。本実施の形態では、下側の第１のバヨネット受け１１または第２のバヨネット受け１３のところにのみ形成される第１のピン２５または第２のピン２６は、少なくとも、上側のバヨネットフック６および８の１つが、対応する上側のバヨネット受け１２または１０内に正しく位置決めされているときは、第２の滑動レール半部２に対して相対的な第１の滑動レール半部１の移動を阻止する。その際、ピン２５または２６は、下側の第１のバヨネットフック７の離型用の、軽微に拡張された第１の取り出し開口３９内、または下側の第２のバヨネットフック９の離型用の、軽微に拡張された第２の取り出し開口４０内に導入可能であり、第１の取り出し開口３９または第２の取り出し開口４０は、第１のピン収容部３７または第２のピン収容部３８を形成する。本実施の形態では、ピン２５，２６は、それぞれ、対応するバヨネット受け１１または１３の数値的な高さ３６の約３分の２の数値的な延在寸法３５を有する。
【００６３】
図７および図８には、それぞれ異なる見方で、図５および図６に示したような第１のピン２５の機能形式を示してある。下側の第２のバヨネットフック９が、対応する下側の第１のバヨネット受け１１内に正しく導入されていなければ、長手方向軸線２４（図５参照）に沿った移動は、下側の第２のバヨネットフック９が第１のピン２５に当接する結果として阻止される。これにより、不正確な組み立てが阻止される。
【００６４】
図９および図１０には、下側の第２のバヨネットフック９の、対応する下側の第１のバヨネット受け１１内への正しい組み付けと、第１のピン２５の、第２の離型開口４０により形成される第２のピン収容部３８内での配置とが、第２の滑動レール半部２から見た側面図で示してある。
【００６５】
図９では、下側の第２のバヨネットフック９は、下側の第１のバヨネットフック入口３２内に位置し、かつ下側の第１のバヨネット受け１１のところに設けられた第１のピン２５は、第２のピン収容部３８を形成する第２の離型開口４０の拡張部（図９で見て右方）内に位置している。第１の滑動レール半部１を第２の滑動レール半部２に堅固に結合すべく、相対的な結合運動５６を実施することができる。
【００６６】
図１０は、図９と同じものを示しているが、図９に示した相対的な結合運動５６を実施した後の様子である。下側の第２のバヨネットフック９は、下側の第１の係止レール３２内に移動されており、これにより部分的にバヨネット受け１１の背後に配置されている。背後の配置は、図１０では隠れて見えない外縁を破線により図示した。第１のピン２５は、下側の第１のバヨネットフック９の背後に移動し、そこで第２の滑動レール半部２の第２の離型開口４０または第２のピン収容部３８内に嵌合している。
【００６７】
図１１には、上述の長手方向を紙面に垂直に置いて、例えば図５および図６に示したような滑動レール半部１，２を示してある。ここでは、第１または第２のピン２５，２６が、下側の第１または第２のバヨネットフック７，９との比較の上で看取可能である。この場合、ピン２５，２６の延在寸法３５は、対応するバヨネットフック７，９の延在長さ５８の約３分の１に相当する。これにより、第２の滑動レール半部２との第１の滑動レール半部１の不正確な結合が、確実に阻止される。
【００６８】
図１２には、例示的に巻き掛け伝動装置５の原理図を示してある。巻き掛け伝動装置５には、第１の円錐シーブ対４２および第２の円錐シーブ対４４が設けられており、第１の円錐シーブ対４２および第２の円錐シーブ対４４は、伝動装置入力軸４１または伝動装置出力軸４３に相対回動不能に結合されている。円錐シーブ対４２，４４の間隔を変更することで、伝動装置入力軸４１と伝動装置出力軸４３との間の変速比が変更される。このために巻き掛け手段４が設けられており、巻き掛け手段４は、本実施の形態ではチェーンとして構成されている。このとき、巻き掛け手段４の振動および波打ちは、密接した滑動レール３により制限される。このために滑動レール３は、上側の第１の滑動面１４と、好ましくは上側の第２の滑動面１６と、下側の第１の滑動面１５と、好ましくは下側の第２の滑動面１７とを有する。滑動レール３の向きを、伝動装置入力軸４１と伝動装置出力軸４３との間の変速比または第１の円錐シーブ対４２および第２の円錐シーブ対４４における巻き掛け半径に合わせるため、滑動レール３は、その軸受収容部５４および５５でもって滑動レール軸受５７に傾倒自在に軸支されている。
【００６９】
図１３には、本実施の形態では内燃機関である駆動ユニット４６と、被動軸４７と、巻き掛け伝動装置５と、トルクを伝達するように接続された左側の駆動輪４８および右側の駆動輪４９と、を備えるパワートレーン４５を略示してある。本実施の形態では、パワートレーン４５は、自動車５０内に配置されており、駆動ユニット４６は、エンジン軸線５３が長手方向軸線５２に対して横置きされて、運転手室５１前方に配置されている。
【００７０】
ここで提案する滑動レール半部により、２つの部分からなる滑動レールの正確な組み立てが可能である。
【符号の説明】
【００７１】
１  第１の滑動レール半部
２  第２の滑動レール半部
３  ２つの部分からなる滑動レール
４  巻き掛け手段
５  巻き掛け伝動装置
６  上側の第１のバヨネットフック
７  下側の第１のバヨネットフック
８  上側の第２のバヨネットフック
９  下側の第２のバヨネットフック
１０  上側の第１のバヨネット受け
１１  下側の第１のバヨネット受け
１２  上側の第２のバヨネット受け
１３  下側の第２のバヨネット受け
１４  上側の第１の滑動面
１５  下側の第１の滑動面
１６  上側の第２の滑動面
１７  下側の第２の滑動面
１８  上側の第１の接合面
１９  下側の第１の接合面
２０  上側の第２の接合面
２１  下側の第２の接合面
２２  滑動平面
２３  高さ方向軸線
２４  長手方向軸線
２５  第１のピン
２６  第２のピン
２７  上側の第１の係止レール
２８  下側の第１の係止レール
２９  上側の第２の係止レール
３０  下側の第２の係止レール
３１  上側の第１のバヨネットフック入口
３２  下側の第１のバヨネットフック入口
３３  上側の第２のバヨネットフック入口
３４  下側の第２のバヨネットフック入口
３５  延在寸法
３６  高さ
３７  第１のピン収容部
３８  第２のピン収容部
３９  第１の離型開口
４０  第２の離型開口
４１  伝動装置入力軸
４２  第１の円錐シーブ対
４３  伝動装置出力軸
４４  第２の円錐シーブ対
４５  パワートレーン
４６  駆動ユニット
４７  被動軸
４８  左側の駆動輪
４９  右側の駆動輪
５０  自動車
５１  運転手室
５２  長手方向軸線
５３  エンジン軸線
５４  第１の軸受収容部
５５  第２の軸受収容部
５６  結合運動
５７  滑動レール軸受
５８  延在長さ
【図１】
0006695345.tif 000002
【図２】
0006695345.tif 000003
【図３】
0006695345.tif 000004
【図４】
0006695345.tif 000005
【図５】
0006695345.tif 000006
【図６】
0006695345.tif 000007
【図７】
0006695345.tif 000008
【図８】
0006695345.tif 000009
【図９】
0006695345.tif 000010
【図１０】
0006695345.tif 000011
【図１１】
0006695345.tif 000012
【図１２】
0006695345.tif 000013
【図１３】
0006695345.tif 000014